(57)【要約】【課題】床部の排水口周囲に水が溜まりにくい浴室用床パンを提供することを目的としている。【解決手段】床部が排水口に向かって流れ勾配を有する浴室用床パンにおいて、一端が床部の端部に開口し、他端が排水口の内壁面側で開口するとともに、その幅が０．２ｍｍ〜４ｍｍ、その最大深さが０．３ｍｍ〜２ｍｍの排水用細溝が、床部に連続する排水口の周縁に沿って排水口の周囲長さ１００ｍｍあたり１箇所以上の割合で設けられていることを特徴としている。【選択図】      図２
2005344278.tif 000002
【特許請求の範囲】
【請求項１】
床部が排水口に向かって流れ勾配を有する浴室用床パンにおいて、一端が床部の端部に
開口し、他端が排水口の内壁面側で開口するとともに、その幅が０．２ｍｍ〜４ｍｍ、そ
の最大深さが０．３ｍｍ〜２ｍｍの排水用細溝が、床部に連続する排水口の周縁に沿って
排水口の周囲長さ１００ｍｍあたり１箇所以上の割合で設けられていることを特徴とする
浴室用床パン。
【請求項２】
少なくとも排水用細溝の内壁面が２０μｍ〜７０μｍの深さの凹凸を有する梨子地面に
なっている請求項１に記載の浴室用床パン。
【発明の詳細な説明】
【技術分野】
【０００１】
本発明は、浴室用床パンに関する。
【背景技術】
【０００２】
近年、浴室はユニットバスが主流となっているが、このユニットバスにおいては、洗い
場や浴槽受け部が繊維強化プラスチック（ＦＲＰ）等の樹脂製の床パンを用いて形成され
ている。
このような床パンのうち、洗い場床を構成する床パンにおいては、床部に落ちた洗い水
等が床パンの位置一部に設けられた排水口から排水されるように、床部に排水口方向に向
かう流れ勾配が設けられている。
【０００３】
また、従来の床パンにおいては、図６に示すように、床部１００の表面が、割石、岩肌
、タイル調といったスベリ止め効果をもたせた凹凸形状部１１０と、この凹凸形状部１１
０を区切りデザイン的にめりはりを付けるとともに排水性を向上するため等に設けられた
目地部１２０とにより形成されているものもある。
しかし、床パンに設けられた流れ勾配は、一般に、浴室使用者が床パン上で滑らないよ
うにせいぜい１〜３°程度である。したがって、床部に落ちた水は、流れが切れると表面
張力によって床面上で島状にどうしても残り、この島状に残った水によって水膜ができ、
床面に滑り止め加工が施されてあっても滑ることを完全に防止できない。また、ホテルな
どの宿泊設備等では、清掃後に残った水分を拭き取らなければならないが、上記のように
床面に水が島状に溜まった状態であると拭き取り作業に非常に時間がかかるという問題が
ある。
【０００４】
そこで、さらに床面の排水性をよくするために、凹凸形状部１１０と目地部１２０との
間に連続する流路を設けるとともに、この流路上に水玉の表面張力を破壊する凹凸を設け
るようにした床パンが提案されている（特許文献１等参照）。
【０００５】
しかしながら、上記床パンのような構造としても、図７に示すように、排水口２００の
周縁部にどうしても水３００が溜まったまま残るという問題があった。
すなわち、従来の床パンの場合、床部１００の排水口周縁２１０が２〜１０Ｒ程度の曲
面となっていて、流量の多い場合は、排水口へ流れ込もうとする水の重力が、床面と水滴
との間に生じる表面張力より大きいため、排水口内にスムースに流れ込むのであるが、流
量が少なくなってくると、水３００が排水口２００の周縁で途切れ、床部１００側の水に
かかる重力が水の表面張力より小さくなって、図７に示すように、排水口２００の周縁部
に残ってしまう。
【０００６】
【特許文献１】特開２００３−２７７１７号公報
【発明の開示】
【発明が解決しようとする課題】
【０００７】
本発明は、上記事情に鑑みて、床部の排水口周囲に水が溜まりにくい浴室用床パンを提
供することを目的としている。
【課題を解決するための手段】
【０００８】
上記目的を達成するために、本発明にかかる浴室用床パンは、床部が排水口に向かって
流れ勾配を有する浴室用床パンにおいて、一端が床部の端部に開口し、他端が排水口の内
壁面側で開口するとともに、その幅が０．２ｍｍ〜４ｍｍ、その最大深さが０．３ｍｍ〜
２ｍｍの排水用細溝が、床部に連続する排水口の周縁に沿って排水口の周囲長さ１００ｍ
ｍあたり１箇所以上の割合で設けられていることを特徴としている。
【０００９】
本発明において、排水用細溝は、その幅が、０．２ｍｍ〜４ｍｍに限定され、好ましく
は、０．５ｍｍ〜３ｍｍであるが、その理由は、排水用細溝の幅が０．２ｍｍ未満である
と、排水用細溝内に汚れが溜まりやすく、４ｍｍを超えると水を引き込む毛細管現象が起
こりにくいためである。
排水用細溝の深さは、０．３ｍｍ〜２ｍｍに限定され、好ましくは０．５ｍｍ〜１．５
ｍｍであるが、その理由は、排水用細溝の最大深さが０．３ｍｍ未満であると、水を引き
込む毛細管現象が起こりにくく、最大深さが２ｍｍを超えると、排水用細溝内に汚れが溜
まりやすいためである。
【００１０】
また、本発明の浴室用床パンは、排水用細溝内壁面の表面張力を下げて、より排水性を
よくするために、請求項２のように、排水用細溝内壁面を２０μｍ〜７０μｍの深さの凹
凸を有する梨子地面にすることが好ましい。なお、２０μｍ未満では表面張力の低減効果
が少なく７０μｍを超えると汚れが付着しやすくなる。
【００１１】
梨子地の形成方法は、特に限定されないが、たとえば、金型の型面にケミカルエッチン
グ、ガラスビーズブラスト処理、サンドブラスト処理、ホーニング処理等によって梨子地
の反転模様の凹凸を設けて、床パン成形と同時に形成する方法が好ましい。
【００１２】
本発明において、床部の流れ勾配は、特に限定されないが、１〜３°程度が好ましい。
すなわち、１°未満では水が溜まりやすくなり、３°を超えると、入浴者等が滑ってけが
をしたりする恐れがある。
また、床部と排水口との境界部分は、２Ｒ〜１０Ｒの曲面形状にしておくことが好まし
い。
【発明の効果】
【００１３】
本発明にかかる浴室用床パンは、以上のように、床部が排水口に向かって流れ勾配を有
する浴室用床パンにおいて、一端が床部の端部に開口し、他端が排水口の内壁面側で開口
するとともに、その幅が０．２ｍｍ〜４ｍｍ、その最大深さが０．３ｍｍ〜２ｍｍの排水
用細溝が、床部に連続する排水口の周縁に沿って排水口の周囲長さ１００ｍｍあたり１箇
所以上の割合で設けられているので、排水口周縁部に達した水は、流量が少ない場合でも
、排水用細溝に接した部分で、水が排水用細溝の毛細管現象によって床部側から排水口の
内壁面側に排水される。したがって、排水口周囲の水切れ性に優れている。
【００１４】
また、請求項２の床パンのように、排水用細溝内壁面を２０μｍ〜７０μｍの深さの凹
凸を有する梨子地面にすれば、水の表面張力が小さくなり、より排水性がよくなる。
【発明を実施するための最良の形態】
【００１５】
以下に、本発明を、その実施の形態をあらわす図面を参照しつつ詳しく説明する。
図１〜図４は、本発明にかかる浴室用床パンの１つの実施の形態をあらわしている。
【００１６】
図１および図２に示すように、この浴室用床パン１は、浴室の洗い場のみを形成するよ
うになっていて、床部２と排水口３とを備えている。
床部２は、排水口３に向かって１°〜３°程度の流れ勾配を有し、目地部２１によって
区切られた複数の床面構成部２２から形成されていて、図３および図４に示すように、排
水口３との境界部が２〜１０Ｒの曲面になっている。
【００１７】
排水口３は、図１に示すように、一辺が２００ｍｍの略正方形の凹部であって、その３
方の周縁が床部２に連続し、残りの１方の周縁が浴槽側の立ち上がり壁４に沿って設けら
れているとともに、その底３１に排水孔３２が穿設されている。
【００１８】
排水口３の床部２に連続する３方の周縁には、排水用細溝５が、排水口３の周囲長さ１
００ｍｍあたり１箇所以上の割合で設けられている。
排水用細溝５は、一端が床部２の端部に開口し、他端が排水口３の内壁面３３側で開口
していて、その幅Ｗが０．２ｍｍ〜４ｍｍ、最大深さＤが０．３ｍｍ〜２ｍｍで、その壁
面が２０μｍ〜７０μｍの深さの凹凸を有する梨子地面になっている。
【００１９】
この床パン１は、以上のように、床部２を流れる水の流量が減った場合でも、排水用細
溝５が設けられているので、床部２の排水口３周縁まで到達した水は、排水用細溝５によ
る毛細管現象によって、排水用細溝５内に引き込まれ、その後、排水用細溝５の排水口側
端部から排水口３内に流れ込む。したがって、排水口３周縁に残る水の量が極めて少なく
なり、床部の乾燥が速くなるとともに、残水の拭き取り作業等も容易になる。
【００２０】
しかも、排水用細溝５の内壁面が２０μｍ〜７０μｍの深さの凹凸を有する梨子地面に
なっているので、水の表面張力が小さくなり、より排水性がよくなる。
さらに、床部２と排水口３との境界部が、２〜１０Ｒの曲面になっているので、境界部
で水が切れたりすることがすくなくなり、より排水性がよくなる。
図５は、本発明にかかる浴室用床パンの他の実施の形態をあらわしている。
図５に示すように、この床パン６は、排水用細溝７の排水口５側の端部が上記床パン１
のように徐々に浅くなっているのではなく、急激に浅くなっている以外は、上記床パン１
と同様になっている。
【００２１】
本発明にかかる浴室用床パンは、上記の実施の形態に限定されない。たとえば、上記の
実施の形態では床パンが、洗い場部のみを形成するようになっていたが、浴槽受け部が一
体になったものでも構わない。
上記の実施の形態では、床部に目地部が設けられていたが、目地部がなくても構わない
。
上記の実施の形態では、排水口の３方の周縁が床部に隣接していたが、排水口を床パン
の中央部に設けたものでも構わない。また、排水口の周囲形状は四角形であったが、円形
等でも構わない。
【実施例１】
【００２２】
以下に、本発明の具体的な実施例を説明する。
【００２３】
（実施例１〜４、比較例１〜４）
不飽和ポリエテル、ガラス繊維、無機充填材を主に含むＦＲＰ製で、床部が約１０００
×１６００ｍｍの床パンで表１に示す条件で作製し、それぞれ排水口周縁部の６０分後の
残水量を調べ、その結果を表１に示した。
【００２４】
【表１】
2005344278.tif 000003
【００２５】
上記表１から本発明の床パンのようにすれば、排水口の周縁部分での残水が少なくなり
、排水性がよくなることが判る。また、梨子地加工を施せばより排水性がよくなることが
わかる。
【図面の簡単な説明】
【００２６】
【図１】本発明にかかる浴室用床パンの１つの実施の形態をあらわす平面図である。
【図２】図１の床パンのＡ部拡大斜視図である。
【図３】図１の床パンの排水口部分の断面図である。
【図４】図１の床パンの排水用細溝部分を説明する図であって、同図（ａ）はその正面図、同図（ｂ）は同図（ａ）のＸ―Ｘ線断面図である。
【図５】本発明にかかる浴室用床パンの他の実施の形態をあらわす排水用細溝部分を説明する図であって、同図（ａ）はその正面図、同図（ｂ）は同図（ａ）のＹ―Ｙ線断面図である。
【図６】従来の浴室用床パンの１例をあらわす平面図である。
【図７】図６の排水口部分の拡大断面図である。
【符号の説明】
【００２７】
１，６  床パン
２  床部
３  排水口
３３  内壁面
５，７  排水用細溝
Ｗ  幅（排水用細溝）
Ｄ  最大深さ（排水用細溝）
【図１】
2005344278.tif 000004
【図２】
2005344278.tif 000005
【図３】
2005344278.tif 000006
【図４】
2005344278.tif 000007
【図５】
2005344278.tif 000008
【図６】
2005344278.tif 000009
【図７】
2005344278.tif 000010